(57)【要約】【課題】  この発明は、通常の蓋本体とともに別体の蓋体を用いて、浴槽の保温効果とともに湯気を浴槽内に封じ込めて湯気を活用したサウナ的な効果を高め、かつ森林浴効果を引き出すとともに、浴槽内への出入り、あるいは入浴状態での操作を容易にした浴槽用蓋を提供するものである。【解決手段】  この発明に係る浴槽用蓋は、浴槽１の開口部２の一部を残して覆う取外し可能な蓋本体３の残余部の開口部２を覆うように並列される二枚の蓋板４、４の相対向する側面の略中央部分には半円状の切欠部６を穿設して、入浴者の頭部が挿通されて首よりも上の部分が露呈される円形状の挿通部分が形成され、また、蓋板４、４には磁石またはファスナー等の結合手段７を用いて連結され、かつその裏面からも操作される取手８を取付けてなるものである。【選択図】  図１
2005169028.tif 000002
【特許請求の範囲】
【請求項１】
浴槽の開口部をその一部を残して覆う取外し可能な蓋本体と、この蓋本体の残余部に並列して設けられる二枚の蓋板とより形成され、その隣接する対向側面にその縁部に柔軟性を有する縁部材が装着される半円状の切欠部を穿設すると共に磁石等の比較的容易に離反できる結合手段を用いて連結され、かつこの二枚の蓋板にはその裏面側からの操作が可能な取手を取りつけてなる浴槽用蓋。
【発明の詳細な説明】
【技術分野】
【０００１】  本発明は、浴槽の上面開口部に被覆される蓋に関するもので、とくに、浴槽の保温効果とともに湯気を浴槽内に封じ込めて入浴者にサウナ的な効果や森林浴効果が得られる浴槽用蓋に関するものである。
【背景技術】
【０００２】  従来、浴槽用の蓋の一部を切除して、浴槽を塞いで入浴者が頭部のみを出しサウナ効果を求めたものは各種提案されている。
すなわち、浴槽の上面に浴槽の上部開口に載置される閉蓋可能な蓋部材と、この蓋部材の端部に形成された入浴者の頭部より若干大きめの大きさの切欠部と、この切欠部の端部に回転可能な小蓋を備え、浴槽の開口部分を閉蓋できるとともに、小蓋を開けて蓋部材の切欠部を開放した状態で浴槽の上面に載置することにより、浴槽内の温水に浸った状態の入浴者の頭部を除き、浴槽の上面開口を塞いだ状態にすることができるものがみられる（例えば、特許文献１参照。）【０００３】  また、入浴者の頭部を露出させるための開口部を有し、浴槽の上面を蓋と共同あるいは単独で覆う浴槽用カバーを有し、頭部を開口部から露出させてカバーを単独あるいは蓋と共同して覆うようにして発汗を促すものが提案されている（例えば、特許文献２参照。）【０００４】
【特許文献１】特開平０７−２９８９９９号公報
【特許文献２】特開平１０−２１６０３６号公報
【発明の開示】
【発明が解決しようとする課題】
【０００５】  上述した参考文献１および２に示されている浴槽用蓋は、いずれも頭部を蓋より上面に出して浴槽内に浸かっているときは、その目的とするサウナ的な作用あるいは発汗作用を促すことが可能であるが、特許文献１にみられるように、浴槽には蓋の一部を半開きの状態で入り、頭部を切欠部に装着した状態で蓋の裏面からの操作で閉蓋しなければならず、また、特許文献２においても首にカバーを装着させてから浴槽に入り同様下からの手探りの操作で蓋とぴったりと合わせる必要があった。
さらに、浴槽に入るまでの煩わしさと同時に、浴槽内に位置されている手で操作することが不可能に近い状態にあり、入浴した際にはあまり身体を動かすことができなくなり、また、出る際も下からの操作で蓋を開けなければならず、不安定となり易い恐れがあった。【０００６】  本発明の目的は、通常使用されている蓋本体とともに別体の蓋板を用いて、入浴時浴槽の開口部を塞いで、湯気を活用したサウナ的な効果を高めるとともに、浴槽内への出入り、あるいは入浴状態での開閉蓋操作を容易にした浴槽用蓋を提供するものである。
【課題を解決するための手段】
【０００７】  上記目的を達成するため、本発明に係る浴槽用蓋は、浴槽の開口部の一部を残して覆う取外し可能な蓋本体と、この蓋本体の残余部に並列して設けられる二枚の蓋板とより形成され、その隣接する対向側面にその縁部に柔軟性を有する縁部材が装着される半円状の切欠部を穿設すると共に磁石等の比較的容易に離反できる結合手段を用いて連結され、かつこの二枚の蓋板にはその裏面側からの操作が可能な取手を取りつけてなることを特徴とするものである。
【発明の効果】
【０００８】  上記の構成を有することにより、本発明に係る浴槽用蓋によれば、二枚の蓋板を用いてその相対する位置に半円状の切欠部を設けて、入浴者が首から上の頭部のみを挿通させて外部に突出させた浴槽の閉蓋状態で入浴することにより、簡便に湯気を有効に活用したサウナ的な半身浴が可能となり、また、給湯中あるいは入浴中でも浴槽を常に閉蓋した状態に維持されて燃料の消費を抑え経費を削減することができるものである。【０００９】  さらに、二枚の蓋板は磁石等の水に強く、かつその着脱が容易な結合手段で水平状に連接され、また、各々の蓋板には裏面側からの操作が可能な取手が設けられていることにより、二枚の蓋板を取り除いて容易に浴槽に浴槽に入ることができ、身体を伸ばして頭部のみを出して収まった入浴中の不安定な状態でも手軽な操作により浴槽の開口部を密着状に被覆され、また、入浴中に蓋板を調節したり、取り除くことができ、また、浴槽から出るときも容易に蓋板を取り外すことができるるものである。
【発明を実施するための最良の手段】
【００１０】  図１は、本発明に係る浴槽用蓋の装着状態を示す斜視図であり、図２は、二枚の蓋板を示す斜視図であり、図３は、二枚の蓋板を重ね合わせた状態の斜視図であり、図４は蓋板に用いられる取手を示す略示図であり、図５は入浴状態を示す略示図である。
【００１１】  この浴槽用蓋は、図１および図２に示すように、浴槽１の開口部２の一部を残して覆う取外し可能なプラスチック等から形成される通常の蓋本体３と、この蓋本体３の残余部の開口部２を並列して覆う二枚の蓋板４、４とより形成されている。
【００１２】  二枚の蓋板４、４は、自然の香りを楽しみ、ストレスや疲れを森林浴的に癒し、より入浴効果を高めることができ、かつ、建築に利用されにくい間抜材や余材を利用することにより、資源の有効活用を図ることができるヒノキやヒバ等の木材を用いて、浴槽の開口部２に被覆される蓋本体３の残余部の幅に合わせて形成され、隣接して並列される二枚の蓋板４、４の相対向する側面の略中央部分には、その縁部に柔軟性を有する縁部材５が装着される半円状の切欠部６を穿設して、この二枚の蓋板４、４を並列したとき半円状の切欠部６により、入浴者の頭部が挿通されて首よりも上の部分が露呈される円形状の挿通部分が形成されている。
【００１３】  また、二枚の蓋板４、４の相対向する側面には、水に強くしかもその着脱が容易な磁石またはファスナー等の結合手段７を用いて連結され、かつ二枚の蓋板４、４の裏面にはそれぞれ取手８を取りつけて形成されているものである。
【００１４】  この二枚の蓋板４、４の相対向する側面に設けられる切欠部６、６によって形成される円形状の挿通孔は、頭のサイズよりやや大きく形成され、またこの挿通孔は、不使用時、すなわち入浴時以外はカバー９によって被冠されている。
【００１５】  蓋板４に取りつけられる取手８は、図４に示すように、その握り部１０が蓋板４の表面側からのみならず、その裏面からも容易に操作ができるようにするものであるが、表裏面にそれぞれ独立したものを設置してもよく、また、手指で引掛けて操作する凹窪部等であってもよいが、少なくとも入浴状態にて蓋板４を裏面から操作できることが望ましい。
【００１６】  本発明に係る浴用蓋は、浴槽１の開口部２を覆っているプラスチック等から形成される通常の蓋本体３とこの蓋本体３の残余部の開口部２を覆っている二枚の蓋板４、４とにより被覆されて、保温状態を保っている。
【００１７】  入浴者は、二枚の蓋板４、４を取り除いて蓋本体３を被覆した状態で残余の開口部２から浴槽１に入り、一方の蓋板４を載置して首の後ろ側を切欠部６に収め、もう一方の蓋板４をその切欠部６に首の前側を収めて、この切欠部６、６で形成される挿通孔から首を突出した後、蓋板４の裏面側に設けられる取手８の握り部１０を掴んで調節して後ろ側の蓋板４と突き合わせて結合手段７で連結して使用に供されるものである。
【００１８】  なお、入浴途中において二枚の蓋板４、４がぴったりと収まらなかったり、あるいは、浴槽から出るときは、その裏面側の取手８の握り部１０を掴んで裏からの操作によって行うものである。
【図面の簡単な説明】
【００１９】
【図１】  本発明に係る浴槽用蓋の設置状態を示す斜視図である。
【図２】  浴槽用蓋を形成する蓋板を示す斜視図である。
【図３】  同じく蓋板の重ね合わせた状態を示す斜視図である。
【図４】  蓋板に取付けられる取手を示す略示図である。
【図５】  入浴状態を示す略示図である。
【符号の説明】
【００２０】  １      浴槽
２      浴槽の開口部
３      蓋本体
４      蓋板
５      縁部材
６      切欠部
７      結合手段
８      取手
９      カバー
１０      取手８の握り部
【図１】
2005169028.tif 000003
【図２】
2005169028.tif 000004
【図３】
2005169028.tif 000005
【図４】
2005169028.tif 000006
【図５】
2005169028.tif 000007